(57)【要約】【課題】従来、熱伝導基板に発熱部品３は、直接取り付けられていため、その床面積が広くなったり、その上に、プリント配線板８を取り付けた場合、熱がこもりやすくなるという課題を有していた。【解決手段】金属板１１上に、シート状の伝熱層１２と、前記伝熱層１２に固定したリードフレーム１３とからなる熱伝導基板において、前記リードフレーム１３の一部を熱伝導基板の外周部で略垂直に折り曲げ、ここに発熱部品１５（例えば、その金属部２０側をリードフレーム１３側に、そのリード線２１側をプリント配線板２４側に）を実装することで、熱伝導基板の放熱効果を高め、その床面積を小さくすることができる。【選択図】図１
2008235321.tif 000002
【特許請求の範囲】
【請求項１】
金属板と、前記金属板の上に固定したシート状の伝熱層と、前記伝熱層に固定したリードフレームと、からなる熱伝導基板であって、
前記リードフレームの一部を、前記熱伝導基板の外周部で前記伝熱層から略垂直に折り曲げ、その折り曲げ部に発熱部品を実装している熱伝導基板。
【請求項２】
金属板と、前記金属板の上に固定したシート状の伝熱層と、前記伝熱層に一部以上を埋め込んだリードフレームと、からなる熱伝導基板であって、
前記リードフレームの一部を、前記熱伝導基板の外周部で前記伝熱層から略垂直に折り曲げ、その折り曲げ部にフィンを取り付けている熱伝導基板。
【請求項３】
伝熱層は、エポキシ樹脂、フェノール樹脂、及びイソシアネート樹脂からなる群から選択される少なくとも一種類以上の樹脂と、
アルミナ、酸化マグネシウム、窒化ホウ素、酸化ケイ素、炭化ケイ素、窒化珪素及び窒化アルミニウムからなる群から選択される少なくとも一種類以上の無機フィラーと、
を含む請求項１または請求項２に記載の熱伝導基板。
【請求項４】
リードフレームは、Ｓｎは０．１重量％以上０．１５重量％以下、Ｚｒは０．０１５重量％以上０．１５重量％以下、Ｎｉは０．１重量％以上５重量％以下、Ｓｉは０．０１重量％以上２重量％以下、Ｚｎは０．１重量％以上５重量％以下、Ｐは０．００５重量％以上０．１重量％以下、Ｆｅは０．１重量％以上５重量％以下である群から選択される少なくとも一種以上を含む、銅を主体とする金属材料である請求項１または請求項２に記載の熱伝導基板。
【請求項５】
少なくとも、金属板と、リードフレームとを、伝熱層を介して一体化する工程と、
前記伝熱層を硬化させる工程と、
前記リードフレームの表面に電子部品を実装する工程と、
前記リードフレームの表面にフィンを取り付ける工程と、
前記リードフレームを略垂直に折り曲げる工程とを、含む熱伝導基板の製造方法。
【請求項６】
少なくとも、プリント配線板と、熱伝導基板と、発熱部品とからなる回路モジュールであって、
前記熱伝導基板は、金属板と、前記金属板の上に固定したシート状の伝熱層と、前記伝熱層に一部以上を埋め込んだリードフレームと、からなり、
前記リードフレームの一部は外周部で前記伝熱層から略垂直に折り曲げ、その折り曲げ部に前記発熱部品の一部を実装したものであり、
前記熱伝導基板は、前記プリント配線板に形成した孔に挿入したものであって、
前記熱伝導基板と前記プリント配線板とは、前記発熱部品のリード線もしくは、前記リードフレームを介して電気的に接続している回路モジュール。
【発明の詳細な説明】
【技術分野】
【０００１】
本発明は、電子機器のパワー半導体等を用いた電源回路等に使用される熱伝導基板とその製造方法及びこれを用いた回路モジュールに関するものである。
【背景技術】
【０００２】
近年、電子機器の高性能化、小型化の要求に伴い、パワー半導体等を用いた電源回路には、更なる小型化が求められている。しかしパワー系電子部品（例えばパワー半導体素子等）は大電流、高発熱を伴うため、大電流、高放熱に対応する熱伝導基板の上に実装する必要がある。こうしたパワー系電子部品に比べ、信号系電子部品（例えば、信号系半導体素子や各種チップ部品等）は、それほど発熱を伴わないため、高密度に実装することができる。そのため従来より、パワー系電子部品を高放熱基板に実装しこれを熱部品ユニット（例えば後述する図１０の熱部品ユニット７）、信号系電子部品は一般的なプリント配線板に実装し、こうして作成した複数の基板間を電気的に接続して、一つの回路モジュールとすることが、特許文献１等で提案されている。次に図１０を用いて、従来の回路モジュールの一例について説明する。
【０００３】
図１０は、従来の回路モジュールを説明する斜視図であり、例えばプラズマディスプレイ装置に使われる回路モジュールの一つである。この回路モジュールは、熱部品ユニットと、その上に複数本のリード線を介して固定されたプリント配線板から構成されている。
【０００４】
図１０において、熱部品ユニット７は、金属板４の上に固定した絶縁体５、金属パターン６、リード線１等から形成されている。そして金属パターン６の上には、発熱部品３が端子２を介して半田付けされている。またプリント配線板８の一部には孔９が形成されており、前記リード線１が一括して挿入可能な状態となっている。そしてプリント配線板８の孔９に、熱部品ユニット７のリード線１を挿入し一体化して、一つの回路モジュールとする。
【特許文献１】特開２００６−３０８６２０号公報
【発明の開示】
【発明が解決しようとする課題】
【０００５】
このように図１０の構成では、発熱を伴う（あるいは放熱が必要な）発熱部品３を実装した熱部品ユニット７と、信号系電子部品等を実装したプリント配線板８とを、略平行に積み重ねるため、熱部品ユニット７に発生した熱が、その間に、こもりやすいため、回路モジュールとした場合に、空冷による放熱には限界があった。
【０００６】
そこで本発明は、発熱部品は、リードフレームを折り曲げた部分に取り付けることで、熱伝導基板自体の空冷性を高めると共に、プリント配線板と組み合わせた場合でもその空冷性を高めることを目的とする。
【課題を解決するための手段】
【０００７】
そしてこの本発明は、上記目的を達成するために、金属板と、前記金属板の上に固定したシート状の伝熱層と、前記伝熱層に固定したリードフレームと、からなる熱伝導基板であって、前記リードフレームの一部を外周部で前記伝熱層から略垂直に折り曲げ、その折り曲げ部に発熱部品を実装している熱伝導基板としたものである。
【発明の効果】
【０００８】
以上のように本発明によれば、発熱部品は、リードフレームを折り曲げ部分に実装することになり、熱伝導基板の放熱性（更には空冷性）を高めることができ、熱伝導基板の実装面積（あるいは床面積）を小さくできる。その結果、プリント配線板と組み合わせて、回路モジュールとした場合でも、小型で放熱性の良い回路モジュールを提供できることとなる。
【０００９】
更にプリント配線板の上に、個別に実装していた発熱部品も、必要に応じて、前記熱伝導基板にまとめて実装することができ、空冷ファン等を用いた場合での空冷効率を高めることができる。
【発明を実施するための最良の形態】
【００１０】
なお本発明の実施の形態に示された一部の製造工程は、成型金型等を用いて行われる。但し説明するために必要な場合以外は、成形金型は図示していない。また図面は模式図であり、各位置関係を寸法的に正しく示したものではない。
【００１１】
（実施の形態１）
以下、本発明の実施の形態１における熱伝導基板について、図面を参照しながら説明する。
【００１２】
図１は、本発明の実施の形態における熱伝導基板の斜視図である。図１において、１１は金属板、１２は伝熱層、１３はリードフレーム、１４はトランス等（例えば発熱を伴うトランスや一部の半導体等）、１５は発熱部品（例えば、パワートランジスタやパワーＦＥＴ等）、１６は絶縁伝導接着剤であり、熱伝導性に優れた絶縁接着剤であり、市販品を使うことができる。１７は放熱用のフィンであり、アルミニウム製等の市販品を使うことができる。１８は空冷用のファン（あるいは扇風機）であり、市販品を使うことができる。１９は矢印である。この矢印１９は、例えばファン１８の回転方向や、風の向き、発熱部品１５の熱の伝わる方向等を模式的に説明するものである。
【００１３】
まず図１を用いて説明する。図１は、実施の形態における熱伝導基板に、発熱部品１５やトランス等１４、放熱用にフィン１７等を実装してなる回路モジュールの一例である。図１において、金属板１１の上には、伝熱層１２を介して、複数のリードフレーム１３が一種の配線として、その一部以上を埋め込んで形成している。そしてリードフレーム１３の上（例えば図１の中央部に示すように）には、複数のトランス等１４を実装している。そしてトランス等１４の上には、市販の絶縁伝導接着剤１６等を用いて、放熱用のフィン１７を固定している。これは実施の形態における回路（例えば、ＤＣＤＣコンバーター等）におけるトランス等１４が発熱を伴う場合がある。こうした場合、トランス等１４の上にも、絶縁伝導接着剤１６を用いて、放熱用のフィン１７を固定することで、局所的にトランス等１４を冷却するためである（詳細は図３（Ｂ）等で説明する）。
【００１４】
また図１において、リードフレーム１３の一部（例えば、図１に示すように熱伝導基板の外周部、あるいはその周縁部）を、略垂直に折り曲げ、折り曲げた部分のリードフレーム１３に（あるいはその外側に）、発熱部品１５（発熱部品１５に形成したリード線等は図示していない）を実装している。そして必要に応じて、その内側（あるいはリードフレーム１３の発熱部品１５を実装していない面側）に絶縁伝導接着剤１６を介して、放熱用のフィン１７を固定する。こうすることで、発熱部品１５に発生した熱を、フィン１７を介して空冷する。また必要に応じて、フィン１７の数を増やし、例えば図１に示すように熱伝導基板の表面（あるいは上面）は、複数のフィン１７で覆うこともできる。そしてこの複数のフィン１７を、空冷用のファン１８を、矢印１９ａのように回転することで、発生した風（矢印１９ｂで図示）で空冷することになる。なお図１において、熱伝導基板の外周部（あるいは周縁部）のすべてのリードフレーム１３を折り曲げる必要は無い。これは後述する図２や図３で、熱伝導基板とプリント配線板とを、電気的に接続するためである。
【００１５】
本実施の形態では、放熱が必要な電子部品（例えば、発熱部品１５や、トランス等１４）を熱伝導基板の上に集中させることができる。このように発熱源となる発熱部品１５やトランス等１４を高密度に集合させた（あるいは実装させた）場合でも、図１に示すように、熱伝導基板の上面の多くの部分（例えば、殆どの部分）をフィン１７で覆うことができ、ファン１８等で集中的に冷却することができ、その冷却効率を高めることができる。なお図１では強制空冷としたが、他の方法（例えば、ヒートパイプを用いる、水冷循環設備を用いる）等でも、同様の効果が得られる。そして、本実施の形態における熱伝導基板は、単独でもその放熱効果が優れたものであるが、プリント配線板と組み合わせて回路モジュールとすることで、更に利用価値を高めることができる。次に、図２〜３を用いて、熱伝導基板をプリント配線板と組み合わせて作成した回路モジュールにおける放熱効果について説明する。
【００１６】
次に図２を用いて、発熱部品１５となるパワー半導体の一例について説明する。図２（Ａ）（Ｂ）は、それぞれ発熱部品１５を説明する断面図と斜視図である。図２において、２０は金属部、２１はリード線、２２は樹脂部である。パワー半導体１５の一部（例えば、ＴＯ−２２０Ｃ、ＴＯ−３Ｐ等のパッケージ形態によっては）には、その放熱性を高めるために、その一部に金属部２０を設けたものがある。
【００１７】
図２（Ａ）は、発熱部品１５の断面図であり、例えば金属部２０の上に、所定の半導体チップを実装し、リード線２１と共に、樹脂部２２で覆ったものである。なお金属部２０を活電部とすることで、金属部２０を放熱以外に給電等に使うことができる。ここでリード線２１は、例えば、パワーＦＥＴにおけるソース、ドレイン、バックゲートあるいはバルク等の端子に相当するものであり、発熱部品１５から突き出したものであり、一部のリード線２１を、金属部２０と同電位とすることもできる。
【００１８】
図２（Ｂ）は、発熱部品１５の斜視図であり、金属部２０は、樹脂部２２と略同一面に形成していることが判る。こうすることで、金属部２０や樹脂部２２を、図１等で図示したように、リードフレーム１３に密着して固定でき、放熱性を高めることができる。なお発熱部品１５のリード線２１は、一般的に２〜３本であるが、この数が変更されても、本実施の形態の場合、リードフレーム１３を適宜分割することで対応することもできる。
【００１９】
なお本実施の形態において用いるパワー半導体１５の形状は、図２（Ａ）（Ｂ）に示すように金属部２０を有するものが望ましい。これは活電部や放熱部を兼用する金属部２０を直接、電流容量の大きく熱伝導性の高いリードフレーム１３に直接固定できるためである。なお固定方法は、半田付け、ネジ止め等の電気的、機械的に信頼性の高いものを選ぶことが望ましい。これは後述する図３や図４で説明するように、パワー半導体１５の金属部２０をリードフレーム１３に、リード線２１はプリント配線板２４に固定するためである。
【００２０】
次に図３を用いて、放熱効果について説明する。図３（Ａ）（Ｂ）は、それぞれ回路モジュールの組立方を説明する断面図と、その放熱効果について説明する断面図である。図３（Ａ）（Ｂ）において、２３は電子部品であり、例えばチップ部品（角チップ抵抗器や積層セラミックコンデンサ等）、あるいは発熱部品１５を制御するための半導体素子等である。２４はプリント配線板（例えば、ガラスエポキシ製の両面や多層等の一般のプリント配線板２４であるが、銅箔からなる電極パターンやスルーホール、ソルダーレジスト等は図示していない）である。２５はシャーシ（例えば、プラズマＴＶにおけるアルミニウムシャーシ、あるいは金属筐体部分等である）、２６ａ、２６ｂは孔であり、孔２６ａ、２６ｂはプリント配線板２４の一部に形成したものである。
【００２１】
図３（Ａ）（Ｂ）に示すように、このリード線２１（あるいはリード線２１の少なくとも一部以上）を、プリント配線板２４に形成した孔２６ｂに差込み（あるいは孔２６ｂを用いて実装することで）、発熱部品１５をプリント配線板２４上に実装し電子部品２３（例えば、パワー半導体を制御するための制御用半導体等）に近づけて（あるいは高密度に）実装することができる。なお熱伝導基板と、プリント配線板２４との接続には、熱伝導基板から横に伸びるリードフレーム１３の一部を用いることもできる。なお熱伝導基板とプリント配線板２４を接続するリードフレーム１３は、その先端部を略垂直に折り曲げたものとし、この折り曲げ部分を、プリント配線板２４に形成した孔２６ｂに差し込むようにすることで、作業性や接続安定性を高めることができる。
【００２２】
そして、熱伝導基板は、プリント配線板２４に形成した孔２６ａに挿入するようにして、矢印１９ａのように、シャーシ２５の上にセットする。なお図３（Ａ）（Ｂ）では、プリント配線板２４に対して、上側から熱伝導基板を挿入（あるいはセット）するように図示しているが、逆にすることも可能である。例えば熱伝導基板の上に、プリント配線板２４を挿入（あるいはセット）するようにしても良い。この場合、図３（Ａ）（Ｂ）に示すリードフレーム１３と、プリント配線板２４の孔２６ｂの挿入部（あるいはそのリードフレーム１３の先端を孔２６ｂに挿入するように曲げた部分）は、上下反転（下から上に挿入するように、あるいはプリント配線板２４の上に熱伝導基板を挿入するように）しても良い。
【００２３】
なお図３（Ａ）（Ｂ）で、プリント配線板２４に形成した孔２６ｂに挿入するリードフレーム１３の先端は、折り曲げ、プリント配線板２４に挿入するようにすることが望ましい。プリント配線板２４に形成した孔２６ｂに挿入し（あるいは突き刺して）、半田付けすることで、リードフレーム１３とプリント配線板２４との半田付け部の信頼性を高めることができる。その結果、半田接続部分の接続抵抗を下げることができ、熱伝導基板の大電流化にも対応できる。また必要に応じて孔２６ｂの内部にスルーホールめっきすることで、更に信頼性を高めることができる。
【００２４】
ここで発熱が課題とならない電子部品２３等は、プリント配線板２４側に高密度に実装することが、低コスト化、小型化に有利であるためである。しかしこうした電子部品２３に近接して発熱部品１５を実装した場合、発熱部品１５に発生する熱が、電子部品２３等に影響を与えてしまう。しかし本実施の形態においては、図３（Ｂ）に示すようにプリント配線板２４の上に、リード線２１を用いて実装した発熱部品１５に発生した熱は、図３（Ｂ）に示すように、熱伝導基板側に放熱することができ、熱の影響を抑えることができ、回路モジュールの小型化が可能となる。
【００２５】
図３（Ｂ）は、回路モジュールにおける放熱メカニズムを説明する断面図である。図３（Ｂ）において、矢印１９ｂは、放熱用のファン１８が回転する様子を示す。また矢印１９ｃは、発熱部品１５やトランス等１４に発生した熱が、広がる方向等を示す。図３（Ｂ）において、発熱部品１５に発生した熱は、リードフレーム１３に伝わる。そしてリードフレーム１３に伝わった熱の一部は、絶縁伝導接着剤１６を介してフィン１７に伝わり、空冷される。またリードフレーム１３の熱の一部は、リードフレーム１３の一部以上を埋め込む伝熱層１２を介して、金属板１１に伝わる。ここで金属板１１を、シャーシ２５にネジ等で固定（固定方法は図示していない）しておくことで、金属板１１に伝わった熱は、矢印１９ｃに示すように、シャーシ２５へと広がる。
【００２６】
更にファン１８を矢印１９ｂに示すように回転することで（例えば、風を吸い込むようにすることで）、シャーシ２５とプリント配線板２４の隙間から、矢印１９ｃに示すように、冷却用の空気を効率良く吸い込むことができる。この場合、略垂直に折り曲げたリードフレーム１３の一部や、フィン１７等を組み合わせて、積極的に煙突構造を構成するようにすることで、煙突効果による効率的な空冷効果も得られる。ここで煙突効果とは、例えば煙突状の空間の中で、空気を暖めた場合、温まって密度が小さくなった空気が煙突の上方に浮上すると同時に、煙突の下の方から冷たい空気を吸い込む効果のことである。そして発熱部品１５やトランス等１４に発生した熱によって、フィン１７を暖め煙突効果を発生させることができる。このように図３（Ａ）（Ｂ）に示す構造とすることで、シャーシ２５等への直接的な熱伝導以外に、ファン１８や煙突効果による積極的な空冷効果も生かすことができる。
【００２７】
更に図３（Ｂ）に示すように、発熱部品１５の金属部２０を活電部として、リードフレーム１３に直接、半田付けすることで発熱部品１５との接続信頼性や接続強度を高められる。更に（あるいは同時に）発熱部品１５のリード線２１をプリント配線板２４に接続することで、その回路パターンの引き回し距離（あるいは線路長）を短くできる。
【００２８】
なおプリント配線板２４とシャーシ２５の間を一定距離（例えば３〜２０ｍｍ、望ましくは５〜１０ｍｍ）離すことで、シャーシ２５に伝わった熱の積極的な煙突効果による吸出しも可能となり、熱伝導基板部分のみならず、シャーシ２５の冷却効果も得られる。
【００２９】
なお図３（Ａ）（Ｂ）において、熱伝導基板とプリント配線板２４の電気的な接続は、発熱部品１５から伸びるリード線２１と、リードフレーム１３とを、それぞれ用途に応じて併用することで、回路設計やその熱対策を容易にできることは言うまでもない。
【００３０】
次に図４（Ａ）（Ｂ）を用いて、回路モジュールの組立方及びその放熱効果について説明する。図４（Ａ）（Ｂ）は、それぞれ回路モジュールの組立方を説明する断面図と、その放熱効果について説明する断面図である。
【００３１】
図４（Ａ）は、回路モジュールを組み立てる様子を示す断面図、図４（Ｂ）は回路モジュールとした場合の放熱効果を説明する断面図である。なお図４（Ａ）（Ｂ）においても、熱伝導基板とプリント配線板２４の電気的な接続は、必要に応じて発熱部品１５から伸びるリード線２１によって（図示していない）も、行うことができる。
【００３２】
図４（Ａ）（Ｂ）とすることで、従来、プリント配線板２４の上に実装していた発熱部品１５であっても、熱伝導基板を一種の放熱部として、ここに取り付けることができる。またその場合、発熱部品１５を取り付けている、リードフレーム１３の折り曲げ部分は、リードフレーム１３の他の配線から絶縁するようなパターン設計する（一種の浮島状態として設計する）こともできる。また発熱部品１５の金属部２０を、直接リードフレーム１３に接続し、発熱部品１５のリード線２１をプリント配線板２４に接続することで、回路パターンの引き回し距離が短くでき、機器の小型化を可能にする。
【００３３】
次に図５を用いて、熱伝導基板を組み立てる様子を説明する。図５（Ａ）（Ｂ）は、共に熱伝導基板を組み立てる様子を説明する断面図である。図５（Ａ）は、熱伝導基板に発熱部品１５やフィン１７を取り付ける様子を説明する断面図、図５（Ｂ）は、熱伝導基板の一部を折り曲げる様子を説明する断面図である。図５（Ａ）において、熱伝導基板は、金属板１１の上に、シート状の伝熱層１２を介してリードフレーム１３を固定したものから構成されている。そしてリードフレーム１３は、伝熱層１２に一部以上を埋め込まれ（これはリードフレーム１３に肉厚のものを選んでも、その凹凸が基板表面に表れにくくするため）、リードフレーム１３の一部は熱伝導基板から、突き出している。そしてこの突き出した部分に、矢印１９ａに示すように必要に応じて発熱部品１５を実装し、フィン１７を絶縁伝導接着剤１６等で固定する。また熱伝導基板の中央部には、トランス等１４の発熱部品１５を実装する。そしてトランス等１４の上にも、必要に応じてフィン１７を絶縁伝導接着剤１６等で固定する。なお図５（Ａ）（Ｂ）において、実装用の半田等は図示していない。また発熱部品１５において、金属部２０やリード線２１も図示していない。
【００３４】
その後、図５（Ｂ）に示すように、所定部分を矢印１９ｂに示すように、略垂直に折り曲げることで、図１等に示した形状とする。なお図５（Ｂ）において、熱伝導基板から左右に突き出したリードフレーム１３の全てに発熱部品１５やフィン１７を固定する必要は無い。また左右に突き出したリードフレーム１３の一部を用いて、図３（Ａ）（Ｂ）、図４（Ａ）（Ｂ）に示したように、熱伝導基板とプリント配線板２４とを電気的に（更には最短距離で）接続することができる。
【００３５】
次に図６を用いて、熱伝導基板の製造方法の一例について説明する。図６（Ａ）（Ｂ）は、共に熱伝導基板の製造方法を説明する断面図である。図６（Ａ）（Ｂ）において、２７はプレス、２８はフィルムであり、汚れ防止用のものである。２９はＶ溝であり、リードフレーム１３の一部にプレス等で折り曲げしやすいように加工した部分である。まず図６（Ａ）に示すように、プレス２７に、金属板１１や、伝熱層１２や汚れ防止用にフィルム２８をセットする。なお図６（Ａ）（Ｂ）において、プレス２７にセットする金型等は図示していない。またリードフレーム１３は、所定の銅板は銅箔等の金属材を配線パターン状に打抜き加工したものである。またリードフレーム１３の所定位置（例えば、図５（Ｂ）で説明した折り曲げ位置）に、予めＶ溝２９を形成しておくことが望ましい。ここで伝熱層１２とは、後述する伝熱材料を例えばシート状に予備成形したものである。なお図６（Ａ）において、伝熱層１２の中央部を、プレス時に空気を抜けやすくするために、中央部を僅かに凸状としても良い。
【００３６】
図６（Ｂ）は、プレスが終了した後の様子を説明する断面図である。図６（Ｂ）に示すように、フィルム２８を用いることで、プレス２７や金型（図示していない）の表面に、伝熱層１２が汚れとして付着しない。またフィルム２８をプレス２７や金型と、リードフレーム１３との間の緩衝材（あるいは、パッキング、あるいはシール材）とすることで、リードフレーム１３の表面への、伝熱層１２の回り込みを防止したり、プレス圧力を高めることができる。その結果、リードフレーム１３間に形成された狭い隙間まで伝熱層１２を回り込ませることができる。
【００３７】
なお図６（Ａ）（Ｂ）において、伝熱層１２等をプレス時に加熱することで、伝熱層１２を軟化でき、金属板１１との密着効果を高めている。
【００３８】
そして図６（Ｂ）に示すように、所定形状に成形した後、フィルム２８を、伝熱層１２の表面から引き剥がす。そして金属板１１の上に、リードフレーム１３を埋め込んで一体化した伝熱層１２を、加熱装置の中で加熱し、硬化させ、図１（Ａ）（Ｂ）等で示した伝熱層１２とする。なおフィルム２８を剥離した状態で、加熱することで、フィルム２８の熱収縮（シワ発生）が、伝熱層１２の硬化に影響を与えなくできる。
【００３９】
ここでシート状の伝熱層１２としては、熱硬化性樹脂とフィラーとからなる伝熱性のコンポジット材料を用いることができる。例えば無機フィラー７０重量％以上９５重量％以下と、熱硬化性樹脂５重量％以上３０重量％以下からなる部材が望ましい。ここで無機フィラーは略球形状で、その直径は０．１μｍ以上１００μｍ以下が適当である（０．１μｍ未満の場合、樹脂への分散が難しくなる場合、また１００μｍを超えると伝熱層１２の厚みが厚くなり熱拡散性に影響を与える）。そのため伝熱層１２における無機フィラーの充填量は、熱伝導率を上げるために７０から９５重量％と高濃度に充填している。特に、本実施の形態では、無機フィラーは、平均粒径３μｍと平均粒径１２μｍの２種類のアルミナを混合したものを用いている。この大小２種類の粒径のアルミナを用いることによって、大きな粒径のアルミナの隙間に小さな粒径のアルミナを充填できるので、アルミナを９０重量％近くまで高濃度に充填できるものである。この結果、伝熱層１２の熱伝導率は５Ｗ／（ｍ・Ｋ）程度となる。なお無機フィラーとしてはアルミナ、酸化マグネシウム、窒化ホウ素、酸化ケイ素、炭化ケイ素、窒化ケイ素、及び窒化アルミニウムからなる群から選択される少なくとも一種以上を含んでもよい。
【００４０】
なお無機フィラーを用いると、放熱性を高められるが、特に酸化マグネシウムを用いると線熱膨張係数を大きくできる。また酸化ケイ素を用いると誘電率を小さくでき、窒化ホウ素を用いると線熱膨張係数を小さくできる。こうして伝熱層１２としての熱伝導率が１Ｗ／（ｍ・Ｋ）以上２０Ｗ／（ｍ・Ｋ）以下のものを形成することができる。なお熱伝導率が１Ｗ／（ｍ・Ｋ）未満の場合、熱伝導基板の放熱性に影響を与える。また熱伝導率を２０Ｗ／（ｍ・Ｋ）より高くしようとした場合、フィラー量を増やす必要があり、プレス時の加工性に影響を与える場合がある。なお熱硬化性樹脂は、エポキシ樹脂、フェノール樹脂およびシアネート樹脂の内、少なくとも１種類の樹脂を含んでいる。これらの樹脂は耐熱性や電気絶縁性に優れている。
【００４１】
次にリードフレーム１３の材質について説明する。ここでリードフレーム１３の材料としては、銅を主体とするもの（例えば銅箔や銅板）が望ましい。これは銅が熱伝導性と導電率が共に優れているためである。リードフレーム１３用の銅板としては、例えば厚み２００μｍ以上〜２０００μｍ以下（望ましくは５００μｍ以上１０００μｍ以下）を利用できる。厚み２００μｍ未満の場合、折り曲げた場合所定の強度が得られない場合がある。また厚みが２０００μｍを超えると、高精度な折り曲げが難しく、コストアップする可能性がある。こうしたリードフレーム１３用の銅板としては、例えばタフピッチ銅（合金記号：Ｃ１１００）や無酸素銅（合金記号：Ｃ１０２０）等を用いることが望ましい。こうした材料は原料の電気銅を溶解して製造したものある。ここでタフピッチ銅は、銅中に酸素を残した精錬銅であり、電気伝導性や加工性に優れている。タフピッチ銅は例えばＣｕ９９．９０ｗｔ％以上、無酸素銅は例えばＣｕ９９．９６ｗｔ％以上が望ましい。銅の純度が、これら数字未満の場合、不純物（例えば酸素の影響によるＣｕ２Ｏの含有量が大きくなるので）の影響によって、加工性のみならず熱伝導性や電気伝導性に影響を受ける場合がある。こうした部材は安価であり、量産性に優れている。なおリードフレーム１３のパターニング方法としては、エッチングでも良いが、プレス２７（あるいは金型）による打ち抜きがパターンの同一性、量産性の面から適している。
【００４２】
更に必要に応じて各種銅合金を選ぶことも出来る。例えば、リードフレーム１３として、加工性や、熱伝導性を高めるためには、銅素材に銅以外の少なくともＳｎ、Ｚｒ、Ｎｉ、Ｓｉ、Ｚｎ、Ｐ、Ｆｅ等の群から選択される少なくとも１種類以上の材料とからなる合金を使うことも可能である。例えばＣｕを主体として、ここにＳｎを加えた、銅材料（以下、Ｃｕ＋Ｓｎとする）を用いることができる。Ｃｕ＋Ｓｎ銅材料（あるいは銅合金）の場合、例えばＳｎを０．１重量％以上０．１５重量％未満添加することで、その軟化温度を４００℃まで高められる。比較のためＳｎ無しの銅（Ｃｕ＞９９．９６重量％）を用いて、リードフレーム１３を作成したところ、導電率は低いが、出来上がった熱伝導基板において特に形成部等に歪が発生する場合があった。そこで詳細に調べたところ、その材料の軟化点が２００℃程度と低いため、後の部品実装時（半田付け時）に変形する可能性があることが予想された。一方、Ｃｕ＋Ｓｎ＞９９．９６重量％の銅系の材料を用いた場合、実装された各種部品の発熱の影響は特に受けなかった。また半田付け性やダイボンド性にも影響が無かった。そこでこの材料の軟化点を測定したところ、４００℃であることが判った。このように、銅を主体として、いくつかの元素を添加することが望ましい。銅に添加する元素として、Ｚｒの場合、０．０１５重量％以上０．１５重量％の範囲が望ましい。添加量が０．０１５重量％未満の場合、軟化温度の上昇効果が少ない場合がある。また添加量が０．１５重量％より多いと電気特性に影響を与える場合がある。また、Ｎｉ、Ｓｉ、Ｚｎ、Ｐ等を添加することでも軟化温度を高くできる。この場合、Ｎｉは０．１重量％以上５重量％未満、Ｓｉは０．０１重量％以上２重量％以下、Ｚｎは０．１重量％以上５重量％未満、Ｐは０．００５重量％以上０．１重量％未満が望ましい。そしてこれらの元素は、この範囲で単独、もしくは複数を添加することで、銅素材の軟化点を高くできる。なお添加量がここで記載した割合より少ない場合、軟化点上昇効果が低い場合がある。またここで記載した割合より多い場合、導電率への影響の可能性がある。同様に、Ｆｅの場合０．１重量％以上５重量％以下、Ｃｒの場合０．０５重量％以上１重量％以下が望ましい。これらの元素の場合も前述の元素と同様である。
【００４３】
なおこれらリードフレーム１３に使う銅材料の引張り強度は、６００Ｎ／平方ｍｍ以下が望ましい。引張り強度が６００Ｎ／平方ｍｍを超える材料の場合、これらリードフレーム１３の加工性に影響を与える場合がある。一方、引張り強度が６００Ｎ／平方ｍｍ以下（更にこれらリードフレーム１３に微細で複雑な加工が必要な場合、望ましくは４００Ｎ／平方ｍｍ以下）とすることでスプリングバック（必要な角度まで曲げても圧力を除くと反力によってはねかえってしまうこと）の発生を抑えられ、形成精度を高められる。このようにこれらリードフレーム１３の材料としては、Ｃｕを主体とすることで導電率を下げられ、更に柔らかくすることで加工性を高められ、更にこれらリードフレーム１３による放熱効果も高められる。なおこれらリードフレーム１３に使う銅合金の引張り強度は、１０Ｎ／平方ｍｍ以上が望ましい。これは一般的な鉛フリー半田の引張り強度（３０〜７０Ｎ／平方ｍｍ程度）に対して、これらリードフレーム１３に用いる銅合金はそれ以上の強度が必要なためである。これらリードフレーム１３に用いる銅合金の引張り強度が、１０Ｎ／平方ｍｍ未満の場合、これらリードフレーム１３の上に発熱部品１５等を半田付け実装する場合、半田部分ではなくてこれらリードフレーム１３の部分で凝集破壊する可能性がある。
【００４４】
なおリードフレーム１３の発熱部品１５等の実装面に、予め半田付け性を改善するように半田層や錫層を形成しておくことも有用である。なおリードフレーム１３の伝熱層１２に接する面には、半田層は形成しないことが望ましい。このように伝熱層１２と接する面に半田層や錫層を形成すると、半田付け時にこの層が柔らかくなり、リードフレーム１３と、伝熱層１２との接着性（もしくは結合強度）に影響を与える場合がある。
【００４５】
また金属板１１は、熱伝導の良いアルミニウム、銅またはそれらを主成分とする合金からできている。特に本実施の形態では、金属板１１の厚みを１ｍｍ（望ましくは０．１ｍｍ以上５０ｍｍ以下の厚み）としているが、その厚みは製品仕様に応じて設計できる（なお金属板１１の厚みが０．１ｍｍ以下の場合、放熱性や強度的に不足する可能性がある。また金属板１１の厚みが５０ｍｍを超えると、重量面で不利になる）。金属板１１としては、単なる板状のものだけでなく、より放熱性を高めるため、伝熱層１２を積層した面とは反対側の面に、表面積を広げるためにフィン部（あるいは凹凸部）を形成しても良い。全膨張係数は８〜２０ｐｐｍ／℃としており、本発明の熱伝導基板や、これを用いた電源ユニット全体の反りや歪みを小さくできる。またこれらの部品を表面実装する際、互いに熱膨張係数をマッチングさせることは信頼性的にも重要となる。
【００４６】
（実施の形態２）
以下、本発明の実施の形態２における熱伝導基板について、図面を参照しながら説明する。
【００４７】
図７は、本発明の実施の形態における熱伝導基板の斜視図である。図７と図１の違いは、リードフレーム１３の一部（例えば、その先端部）を、熱伝導基板の外周部で伝熱層から複数回折り曲げ、その折り曲げ部に発熱部品１５を実装（あるいは包み込むように固定）している点である。
【００４８】
図７において、リードフレーム１３の一部（例えば、図１に示すように熱伝導基板の外周部、あるいはその周縁部）を、複数回折り曲げ、折り曲げた部分のリードフレーム１３に（あるいは複数回折り曲げたリードフレーム１３で囲まれた中に）、発熱部品１５（発熱部品１５に形成したリード線やその半田付け部分等は、図１においては図示していない）を実装している。そして必要に応じて、その内側（あるいはリードフレーム１３の発熱部品１５を実装していない面側）に絶縁伝導接着剤１６を介して、放熱用のフィン１７を固定する。こうすることで、発熱部品１５に発生した熱を、フィン１７を介して空冷する。また必要に応じて、フィン１７の数を増やし、例えば図１に示すように熱伝導基板の表面（あるいは上面）は、複数のフィン１７で覆うこともできる。そしてこの複数のフィン１７を、空冷用のファン１８を、矢印１９ａのように回転することで、発生した風（矢印１９ｂで図示）で空冷することになる。なお図１において、熱伝導基板の外周部（あるいは周縁部）のすべてのリードフレーム１３を折り曲げる必要は無い。これは後述する図２や図３で、熱伝導基板とプリント配線板とを、電気的に接続するためである。
【００４９】
実施の形態２では、放熱が必要な電子部品（例えば、発熱が伴う発熱部品１５や、トランス等１４）を熱伝導基板の上に集中させることができる。このように発熱源となる発熱部品１５やトランス等１４を高密度に集合させた（あるいは実装させた）場合でも、図１に示すように、熱伝導基板の上面の多くの部分（例えば、殆どの部分を）フィン１７で覆うことができ、ファン１８等で集中的に冷却することができ、その冷却効率を高めることができる。なお図１では強制空冷としたが、他の方法（例えば、ヒートパイプを用いる、水冷循環設備を用いる）等でも、同様の効果が得られる。そして、本実施の形態における熱伝導基板は、単独でもその放熱効果が優れたものであるが、プリント配線板と組み合わせて回路モジュールとすることで、更に利用価値を高めることができる。
【００５０】
次に図８を用いて、放熱効果について説明する。図８（Ａ）（Ｂ）は、それぞれ回路モジュールの組立方を説明する断面図と、その放熱効果について説明する断面図である。
【００５１】
図８（Ａ）（Ｂ）に示すように、このリード線２１（あるいはリード線２１の少なくとも一部以上）を、プリント配線板２４に形成した孔２６ｂに差込み（あるいは孔２６ｂを用いて実装することで）、発熱部品１５をプリント配線板２４上に実装し電子部品２３（例えば、パワー半導体を制御するための制御用半導体等）に近づけて（あるいは高密度に）実装することができる。なお熱伝導基板と、プリント配線板２４との接続には、熱伝導基板から横に伸びるリードフレーム１３の一部を用いることもできる。なお熱伝導基板とプリント配線板２４を接続するリードフレーム１３は、その先端部を複数回折り曲げたものとし、この折り曲げ部分を、プリント配線板２４に形成した孔２６ｂに差し込むようにすることで、作業性や接続安定性を高めることができる。
【００５２】
そして、熱伝導基板は、プリント配線板２４に形成した孔２６ａに挿入するようにして、矢印１９ａのように、シャーシ２５の上にセットする。なお図８（Ａ）（Ｂ）では、プリント配線板２４に対して、上側から熱伝導基板を挿入（あるいはセット）するように図示しているが、逆にすることも可能である。例えば熱伝導基板の上に、プリント配線板２４を挿入（あるいはセット）するようにしても良い。この場合、図８（Ａ）（Ｂ）に示すリードフレーム１３と、プリント配線板２４の孔２６ｂの挿入部（あるいはそのリードフレーム１３の先端を孔２６ｂに挿入するように曲げた部分）は、上下反転（下から上に挿入するように、あるいはプリント配線板２４の上に熱伝導基板を挿入するように）しても良い。
【００５３】
なお図８（Ａ）（Ｂ）で、プリント配線板２４に形成した孔２６ｂに挿入するリードフレーム１３の先端は、折り曲げ、プリント配線板２４に挿入するようにすることが望ましい。プリント配線板２４に形成した孔２６ｂに挿入し（あるいは突き刺して）、半田付けすることで、リードフレーム１３とプリント配線板２４との半田付け部の信頼性を高めることができる。その結果、半田接続部分の接続抵抗を下げることができ、熱伝導基板の大電流化にも対応できる。また必要に応じて孔２６ｂの内部にスルーホールめっきすることで、更に信頼性を高めることができる。
【００５４】
ここで発熱が課題とならない電子部品２３等は、プリント配線板２４側に高密度に実装することが、低コスト化、小型化に有利であるためである。しかしこうした電子部品２３に近接して発熱部品１５を実装した場合、発熱部品１５に発生する熱が、電子部品２３等に影響を与えてしまう。しかし本実施の形態においては、図８（Ｂ）に示すようにプリント配線板２４の上に、リード線２１を用いて実装した発熱部品１５に発生した熱は、図８（Ｂ）に示すように、熱伝導基板側に放熱することができ、熱の影響を抑えることができ、回路モジュールの小型化が可能となる。
【００５５】
図８（Ｂ）は、回路モジュールにおける放熱メカニズムを説明する断面図である。図８（Ｂ）において、矢印１９ｂは、放熱用のファン１８が回転する様子を示す。また矢印１９ｃは、発熱部品１５やトランス等１４に発生した熱が、広がる方向等を示す。図８（Ｂ）において、発熱部品１５に発生した熱は、リードフレーム１３に伝わる。そしてリードフレーム１３に伝わった熱の一部は、絶縁伝導接着剤１６を介してフィン１７に伝わり、空冷される。またリードフレーム１３の熱の一部は、リードフレーム１３の一部以上を埋め込む伝熱層１２を介して、金属板１１に伝わる。ここで金属板１１を、シャーシ２５にネジ等で固定（固定方法は図示していない）しておくことで、金属板１１に伝わった熱は、矢印１９ｃに示すように、シャーシ２５へと広がる。
【００５６】
更にファン１８を矢印１９ｂに示すように回転することで（例えば、風を吸い込むようにすることで）、シャーシ２５とプリント配線板２４の隙間から、矢印１９ｃに示すように、冷却用の空気を効率良く吸い込むことができる。この場合、複数回折り曲げたリードフレーム１３の一部や、フィン１７等を組み合わせて、積極的に煙突構造を構成するようにすることで、煙突効果による効率的な空冷効果も得られる。ここで煙突効果とは、例えば煙突状の空間の中で、空気を暖めた場合、温まって密度が小さくなった空気が煙突の上方に浮上すると同時に、煙突の下の方から冷たい空気を吸い込む効果のことである。そして発熱部品１５やトランス等１４に発生した熱によって、フィン１７を暖め煙突効果を発生させることができる。このように図８（Ａ）（Ｂ）に示す構造とすることで、シャーシ２５等への直接的な熱伝導以外に、ファン１８や煙突効果による積極的な空冷効果も生かすことができる。
【００５７】
なおプリント配線板２４とシャーシ２５の間を一定距離（例えば３〜２０ｍｍ、望ましくは５〜１０ｍｍ）離すことで、シャーシ２５に伝わった熱の積極的な煙突効果による吸出しも可能となり、熱伝導基板部分のみならず、シャーシ２５の冷却効果も得られる。
【００５８】
なお図８（Ａ）（Ｂ）において、熱伝導基板とプリント配線板２４の電気的な接続は、発熱部品１５から伸びるリード線２１と、リードフレーム１３とを、それぞれ用途に応じて併用することで、回路設計やその熱対策を容易にできることは言うまでもない。
【００５９】
更に図８（Ｂ）に示すように、発熱部品１５の金属部２０を活電部として、リードフレーム１３に直接、半田付けすることで発熱部品１５との接続信頼性や接続強度を高められる。更に（あるいは同時に）発熱部品１５のリード線２１をプリント配線板２４に接続することで、その回路パターンの引き回し距離（あるいは線路長）を短くできる。
【００６０】
なお発熱部品１５の金属部２０を、直接リードフレーム１３に接続し、発熱部品１５のリード線２１をプリント配線板２４に接続することで、回路パターンの引き回し距離が短くなり、機器の小型化を可能にする。
【００６１】
次に図９（Ａ）〜（Ｃ）を用いて、回路モジュールの放熱効果の改善例について説明する。図９（Ａ）〜（Ｃ）は、共に回路モジュールの放熱効果の改善例を示す部分断面図であり、例えば前述の図８（Ａ）の側面部分（例えば右側面）の断面図に相当する。なお図９（Ａ）〜（Ｃ）において、（中央部省略）と図示しているのは、回路モジュールの部分断面であることを示すためのものである。図９（Ａ）は、複数回折り曲げてなるリードフレーム１３ａの内部に、矢印１９ａが示すように発熱部品１５、絶縁伝導接着剤１６ａ、１６ｂ、フィン１７ｂを順番にセットする様子を示す。図９（Ｂ）は、複数回折り曲げてなるリードフレーム１３ａの中（あるいは折り曲げた中）に、発熱部品１５をセットし、更に絶縁伝導接着剤１６ｂで固定した様子を示す。そしてこの上に、絶縁伝導接着剤１６ｂを用いて、フィン１７ｂを固定する。図９（Ｃ）は、こうして作成した回路モジュールの放熱効果を説明する断面図である。図９（Ｃ）において、矢印１９ｂは、発熱部品１５に発生した熱が、フィン１７ａ、１７ｂ等を介して放熱する様子を示す。なお図９（Ａ）〜（Ｃ）における発熱部品１５としては、樹脂モールドしたものを使うことができる。図９（Ｂ）（Ｃ）に示すように、発熱部品１５の一部（例えば、フィン１７ｃ部分）を、複数回折り曲げてなるリードフレーム１３ａで囲っても良い。更に囲った後、ネジ止めし（図４においてネジ等は図示していない）、絶縁伝導接着剤１６で固定することで、発熱部品１５に発生した熱を、多面的（あるいは発熱部品１５の上面や下面、側面等から）にリードフレーム１３ａやフィン１７ｂに伝える。
【００６２】
以上のようにして、金属板１１と、前記金属板１１の上に固定したシート状の伝熱層１２と、前記伝熱層１２に固定したリードフレーム１３と、からなる熱伝導基板であって、前記リードフレーム１３の一部を、前記熱伝導基板の外周部で前記伝熱層１２から略垂直に折り曲げ、その折り曲げ部に発熱部品１５を実装している熱伝導基板を提供することができ、熱伝導基板の放熱性や小型化（あるいは床面積の低減）を実現することができる。
【００６３】
また金属板１１と、前記金属板１１の上に固定したシート状の伝熱層１２と、前記伝熱層１２に一部以上を埋め込んだリードフレーム１３と、からなる熱伝導基板であって、前記リードフレーム１３の一部を、前記熱伝導基板の外周部で前記伝熱層１２から略垂直に折り曲げ、その折り曲げ部にフィン１７を取り付けている熱伝導基板とすることで、熱伝導基板の放熱性や小型化（あるいは床面積の低減）を実現することができる。
【００６４】
また図７等に示すように、金属板１１と、前記金属板１１の上に固定したシート状の伝熱層１２と、前記伝熱層１２に固定したリードフレーム１３と、からなる熱伝導基板として、そのリードフレーム１３の一部を、前記熱伝導基板の外周部で前記伝熱層１２から複数回折り曲げ、その折り曲げ部に発熱部品１５を実装することで、その放熱性を高めることができる。
【００６５】
あるいは、金属板１１と、前記金属板１１の上に固定したシート状の伝熱層１２と、前記伝熱層１２に一部以上を埋め込んだリードフレーム１３と、からなる熱伝導基板であって、前記リードフレーム１３の一部を、前記熱伝導基板の外周部で前記伝熱層１２から複数回折り曲げ、その折り曲げ部にフィン１７を取り付けている熱伝導基板とすることで、その放熱性を高めることができる。
【００６６】
また伝熱層１２は、エポキシ樹脂、フェノール樹脂、及びイソシアネート樹脂からなる群から選択される少なくとも一種類以上の樹脂と、アルミナ、酸化マグネシウム、窒化ホウ素、酸化ケイ素、炭化ケイ素、窒化珪素及び窒化アルミニウムからなる群から選択される少なくとも一種類以上の無機フィラーと、を含む熱伝導基板とすることで、熱伝導基板の放熱性や小型化（あるいは床面積の低減）を実現することができる。
【００６７】
リードフレーム１３は、Ｓｎは０．１重量％以上０．１５重量％以下、Ｚｒは０．０１５重量％以上０．１５重量％以下、Ｎｉは０．１重量％以上５重量％以下、Ｓｉは０．０１重量％以上２重量％以下、Ｚｎは０．１重量％以上５重量％以下、Ｐは０．００５重量％以上０．１重量％以下、Ｆｅは０．１重量％以上５重量％以下である群から選択される少なくとも一種以上を含む、銅を主体とする金属材料である熱伝導基板とすることで、熱伝導基板の放熱性や小型化（あるいは床面積の低減）を実現することができる。
【００６８】
少なくとも、金属板１１と、リードフレーム１３とを、伝熱層１２を介して一体化する工程と、前記伝熱層１２を硬化させる工程と、前記リードフレーム１３の表面に、発熱部品１５やトランス等１４の電子部品を実装する工程と、前記リードフレーム１３の表面にフィン１７を取り付ける工程と、前記リードフレーム１３を略垂直に折り曲げる工程とを、含む熱伝導基板の製造方法とすることで、放熱性の優れた小型（あるいは床面積の小さい）熱伝導基板を製造することができる。なおこれらの工程順番（例えば発熱部品１５を実装した後、リードフレーム１３を折り曲げる）は、用途に応じて前後することができることは、言うまでも無い。
【００６９】
少なくとも、プリント配線板２４と、熱伝導基板と、発熱部品１５とからなる回路モジュールであって、前記熱伝導基板は、金属板１１と、前記金属板１１の上に固定したシート状の伝熱層１２と、前記伝熱層１２に一部以上を埋め込んだリードフレーム１３と、からなり、前記リードフレーム１３の一部は外周部で前記伝熱層１２から略垂直に折り曲げ、その折り曲げ部に前記発熱部品１５の一部を実装したものであり、前記熱伝導基板は、前記プリント配線板２４に形成した孔２６ａ、２６ｂに挿入したものであって、前記熱伝導基板と前記プリント配線板２４とは、前記発熱部品１５のリード線２１もしくは、前記リードフレーム１３を介して電気的に接続している回路モジュールとすることで、回路モジュールの小型化が可能となる。また回路モジュールを小型化することで、配線長を短くでき、ＤＣＤＣコンバーター等における配線長さを短くしたり、最適化設計することができ、回路動作を安定化できる。
【００７０】
そして、金属板１１上に、シート状の伝熱層１２と、前記伝熱層１２に固定したリードフレーム１３とからなる熱伝導基板において、前記リードフレーム１３の一部を熱伝導基板の外周部で略垂直に折り曲げ、ここに発熱部品１５（例えば、その金属部２０側をリードフレーム１３側に、そのリード線２１側をプリント配線板２４側に）を実装することで、熱伝導基板の放熱効果を高め、その床面積を小さくすることができる。
【産業上の利用可能性】
【００７１】
以上のように、本発明にかかる熱伝導基板とその製造方法及びこれを用いた回路モジュールによって、プラズマテレビ、液晶テレビ、あるいは車載用各種電装品、あるいは産業用の放熱が要求される機器の小型化、高性能化が可能となる。
【図面の簡単な説明】
【００７２】
【図１】本発明の実施の形態における熱伝導基板の斜視図
【図２】（Ａ）（Ｂ）は、それぞれ発熱部品１５を説明する断面図と斜視図
【図３】（Ａ）（Ｂ）は、それぞれ回路モジュールの組立方を説明する断面図と、その放熱効果について説明する断面図
【図４】（Ａ）（Ｂ）は、それぞれ回路モジュールの組立方を説明する断面図と、その放熱効果について説明する断面図
【図５】（Ａ）（Ｂ）は、共に熱伝導基板を組み立てる様子を説明する断面図
【図６】（Ａ）（Ｂ）は、共に熱伝導基板の製造方法を説明する断面図
【図７】本発明の実施の形態における熱伝導基板の斜視図
【図８】（Ａ）（Ｂ）は、それぞれ回路モジュールの組立方を説明する断面図と、その放熱効果について説明する断面図
【図９】（Ａ）〜（Ｃ）は、共に回路モジュールの放熱効果の改善例を示す部分断面図
【図１０】従来の回路モジュールを説明する斜視図
【符号の説明】
【００７３】
１１  金属板
１２  伝熱層
１３  リードフレーム
１４  トランス等
１５  発熱部品
１６  絶縁伝導接着剤
１７  フィン
１８  ファン
１９  矢印
２０  金属部
２１  リード線
２２  樹脂部
２３  電子部品
２４  プリント配線板
２５  シャーシ
２６  孔
２７  プレス
２８  フィルム
２９  Ｖ溝
【図１】
2008235321.tif 000003
【図２】
2008235321.tif 000004
【図３】
2008235321.tif 000005
【図４】
2008235321.tif 000006
【図５】
2008235321.tif 000007
【図６】
2008235321.tif 000008
【図７】
2008235321.tif 000009
【図８】
2008235321.tif 000010
【図９】
2008235321.tif 000011
【図１０】
2008235321.tif 000012